(57)【要約】【課題】ビニール袋等に収容することなく、着火時における導火線の状態を良好に保持できる打上花火を提供すること。【解決手段】導火線１６を箱体１２内に外部から見えないように収容したことにより、ビニール袋等を使用することなく搬送時等の導火線１６の損傷を防止できる。そして、花火を行う際には導火線１６と対向する連通窓４１を開けるだけで、導火線１６への着火動作を安全かつ速やかに行うことができる。これにより、花火の袋詰め作業や花火を収容する袋等が必要なくなり、大幅なコストの削減を図ることができる。【選択図】      図６
2004324953.tif 000002
【特許請求の範囲】
【請求項１】
内部に花火本体及び発射薬を収容し、発射薬と連通する導火線を装着した紙管と、
前記紙管を収容する箱体と、
前記導火線と対向する部位において箱体に形成され、箱体の内外部を連通する連通窓と、
前記連通窓を開閉する開閉部材と
からなることを特徴とする打上花火。
【請求項２】
前記開閉部材は箱体に一体形成されていることを特徴とする請求項１に記載の打上花火。
【請求項３】
前記箱体に、常時開放している開放窓を設けたことを特徴とする請求項１または請求項２に記載の打上花火。
【発明の詳細な説明】
【０００１】
【発明の属する技術分野】
本発明は、導火線に点火後、花火本体が上空で破裂して夜空を彩る打上花火に関するものである。
【０００２】
【従来の技術】
従来、一般市販されている打上花火は、発射薬等を収納する紙管と、打ち上げ時に同紙管が倒れないように紙管の支えとなる樹脂製の支持台とより構成されている。また、近年では環境問題の関係等により紙管を紙製の箱体に収容し、箱体が支持台の変わりをしている打上花火も多くなってきている。
樹脂製の支持台を使用したタイプの打上花火及び箱体を使用したタイプの打上花火のいずれの打上花火でも、導火線が外部に露出している。導火線は外部に露出している場合には、搬送時等に導火線が他の花火等に擦れて紙管から取れたり、水等が付着して導火線が湿気てしまい、導火線に点火しにくくなるという問題が発生する。
この問題を防止するために、打上花火を１個毎にビニール袋やブリスタパックに収容して、導火線への水分の付着を防止したり、導火線が外部と接触したりするのを防止している。また、導火線を露出せずに紙管を箱体に収容したタイプの打上花火もある。
【０００３】
【発明が解決しようとする課題】
しかしながら、上記の打上花火では次のような問題があった。
打上花火を１個毎にビニール袋やブリスタパックの専用ケース等に収容するには、収容する手間と専用ケースのコストがかかるため、打上花火の価格が高くなるという問題があった。また、導火線を露出せずに紙管を箱体に収容したタイプの打上花火を使用する際においても、中から紙管等を取り出さなければ使用できず、使用時の手間と時間が掛かった。
本発明は、上記問題を解消するためになされたものであり、その目的はビニール袋等に収容することなく、着火時における導火線の状態を良好に保持できる打上花火を提供することにある。
【０００４】
【課題を解決するための手段】
上記目的を達成するために、請求項１に記載の発明では、内部に花火本体及び発射薬を収容し、その発射薬と連通する導火線を装着した紙管と、前記紙管を収容する箱体と、前記導火線と対向する部位において箱体に形成され、箱体の内外部を連通する連通窓と、前記連通窓を開閉する開閉部材とからなることをその要旨とする。
請求項２に記載の発明では、請求項１に記載の発明において、前記開閉部材は箱体に一体形成されていることをその要旨とする。
請求項３に記載の発明では、請求項１または請求項２に記載の発明において、前記箱体に、常時開放している開放窓を設けたことをその要旨とする。
【０００５】
（作用）
請求項１及び請求項２に記載に発明においては、打上花火の非使用時（搬送時等）には開閉部材により連通窓部が閉鎖され、導火線は箱体内に外部から見えないように収容され保持されている。また、打上花火を使用する際、すなわち、導火線に火をつける際は開閉部材により連通窓を開放し、箱体内の導火線を露出させる。この状態で、着火用線香等により導火線に火をつけることで、導火線の火が発射薬に着火して、打上花火が打ち上げられる。
請求項３に記載の発明においては、請求項１または請求項２に記載の発明の作用に加え、確認窓は常時開放されていることから、開放窓より外光が箱体内に入り込む。
【０００６】
【発明の効果】
請求項１に記載の発明によれば、導火線を箱体内に外部から見えないように収容したことにより、ビニール袋等を使用することなく搬送時等の導火線の損傷を防止できる。また、開閉部材によって、導火線と対向する連通窓を開けるだけで、導火線への着火動作を安全かつ速やかに行うことができる。合わせて、花火の袋詰め作業や花火を収容する袋等が必要なくなり、コストの削減を図ることができるという優れた効果を奏する。
請求項２に記載の発明によれば、請求項１に記載の発明の効果に加え、開閉部材を箱体に一体形成したことにより、箱体の組立時の簡略化を図ることができ、さらなるコストの削減を図ることができるという優れた効果を奏する。
請求項３に記載の発明によれば、請求項１または請求項２に記載の発明の効果に加え、開放窓から箱体内に入り込む光により導火線の着火時に導火線の視認性が向上し、導火線への着火動作をスムーズに行うことができるという優れた効果を奏する。
【０００７】
【発明の実施の形態】
以下、本発明を具体化した一実施の形態を図面に基づいて説明する。
図１〜図３に示すように、打上花火１１を構成する箱体１２は直方体形状をなし、同箱体１２には紙管１３が収容保持されている。紙管１３の下部内には発射薬１４が収容され、同発射薬１４の上方には打ち上げ用としての花火本体１５が収容されている。また、紙管１３の側面には前記発射薬１４と連通する導火線１６が露出し、上方側へ延出されている。
図４は箱体１２の展開図である。同図に示すように、箱体１２は１枚のボール紙を所定形状に裁断したものから形成され、箱体１２の正面２１ａには開放窓としての一部円弧を有する略長方形状の展示窓２２が形成されている。また、正面２１ａの上下には蓋面２３，２４がそれぞれ連接形成され、上側の蓋面２３の中心部には打ち上げ孔２５が形成されている。打ち上げ孔２５は前記紙管１３の直径よりも小径とされる。また、正面２１ａの右部には右側面２１ｂが連接形成されている。右側面２１ｂの上下には支持面２６，２７がそれぞれ連接形成されている。各支持面２６，２７には前記紙管１３の直径よりもわずかに大径の支持孔２８，２９がそれぞれ形成されている。また、正面２１ａの左部には左側面２１ｃが連接されている。左側面２１ｃの上部には折り込み面３０が、また下部には補強面３１が連接形成されている。左側面２１ｃの左部には背面２１ｄが連接形成されている。背面２１ｄの上部には吊り下げ片３２が連接形成され、同吊り下げ片３２には一対の吊り下げ孔３３が形成されている。
また、背面２１ｄのほぼ中心部には半円状の切り込み孔３４が形成されている。切り込み孔３４の左右方向において、同切り込み孔３４の接線上には左右一対の２本の切取線３５ａ，３５ｂが下側に向かって延びている。本実施の形態では、切り込み孔３４の直線部と切取線３５ａ，３５ｂと、境界線Ｌとにより包囲された部位が開閉部材としての開閉蓋４０とされている。また、本実施の形態では、切り込み孔３４の円弧部と切取線３５ａ，３５ｂと同切取線３５ａ，３５ｂ間を結ぶ境界線Ｌとにより包囲された部位が連通窓４１とされている。
【０００８】
前記背面２１ｄの左部には糊付け面３６が連接形成されている。同図において二点鎖線の部位が折れ線となる。前記両支持面２６，２７の二点鎖線の部位は谷折りとされており、その他の二点鎖線の部位は山折りとされている。
打上花火１１を組み立てる際は、まず、箱体１２の糊付け面３６に糊を塗布した後、右側面２１ｂの裏面に貼着する。そして、正面２１ａ、右側面２１ｂ、左側面２１ｃ、背面２１ｄによって筒状となった箱体１２の内部に下側支持面２７を折り曲げて入れ込む。そして、補強面３１と下側蓋面２４とによって箱体１２の底を閉鎖する。
次に吊り下げ片３２を折り曲げて端部を箱体１２に入れ込む。そして、図３に示すように、導火線１６が背面２１ｄと対向するように紙管１３を箱体１２の上部より挿入し、紙管１３の下部を箱体１２の下側支持面２７の支持孔２９に差し込んで紙管１３を固定する。次に上側支持面２６を折り曲げて箱体１２に入れ込むと同時に支持孔２８に紙管１３の上部を差し込む。これにより、紙管１３は箱体１２内で上下の支持面２６、２７により支持された状態となり、半径方向への移動が規制される。そして、上側蓋面２３の端部に糊を付着し、その端部を箱体１２に入れ込んで箱体１２の上部を閉鎖する。上下の蓋面２３，２４で箱体１２を閉鎖することにより、紙管１３の上下方向への移動が規制される。同図に示すように、箱体１２に紙管１３が収容保持されている状態では、導火線１６と箱体１２の開閉蓋４０（連通窓４１）とが対向した状態に保持されている。
【０００９】
次に上記のように構成された打上花火１１の作用について説明する。
まず、打上花火１２の出荷時や搬送時等には図１〜図３に示す状態となっている。すなわち、導火線１６が箱体１２内に外部から見えないように収容されている。また、箱体１２内では紙管１３が上下の支持面２６，２７及び蓋面２３，２４により押さえられた状態に保持されていることから、紙管１３が箱体１２内でガタつくことがない。また、本実施形態の打上花火１１は販売時に陳列棚に直接載置する場合と、壁に支持された陳列棒を、箱体１２の吊り下げ孔３３に挿入し、打上花火１１を吊り下げた状態で陳列する２通りの陳列方法がある。いずれの陳列方法の場合においても、使用者は箱体１２の正面２１ａに形成された展示窓２２から箱体１２内の紙管１３を確認することができる。
【００１０】
打上花火１１を打ち上げる際は、まず、図５に示すように、箱体１２の背面２１ｄにある切り込み孔３４に指を引っかけ、手前側に引っ張る。すると、開閉蓋４０が切取線３５ａ，３５ｂに沿って箱体１２の背面２１ｄから切り起こされていく。そして、図６に示すように、開閉蓋４０を下側に向けて折り曲げる。開閉蓋４０が境界線Ｌを折り曲げ線として下側へ向けて折り曲げられることとなる。これによって、連通窓４１から箱体１２内の導火線１６が露出する。
一方、箱体１２内には連通窓４１と対向する方向に開口された展示窓２２から外光が入り込む。打上花火は通常夕刻以降の夜間に使用されるが、たとえかすかな光であっても、この展示窓２２から入り込む外光が箱体１２内を照らすことによって、導火線１６の視認性が向上される。この状態で連通窓４１から着火用の線香等で導火線１６に点火すると、火は導火線１６を伝って紙管１３内の発射薬１４に着火し、紙管１３内の発射薬１４が爆発する。この発射薬１４の爆発の圧力により花火本体１５が紙管１３の上部から箱体１２の打上孔２５を経て上空に打ち上げられ、上空にて花火本体１５が閃光を放ちながら爆発して夜空を彩る。
【００１１】
以上、本実施の形態では上記のように打上花火１１を構成したことにより、次のような効果を得ることができる。
（１）導火線１６を箱体１２内に外部から見えないように収納したことにより、ビニール袋等を使用することなく搬送時等の導火線１６の損傷を防止できる。また、開閉蓋４０によって、導火線１６と対向する連通窓４１を開けるだけで、導火線１６への着火動作を安全かつ速やかに行うことができる。合わせて、花火の袋詰め作業や花火を収容する袋等が必要なくなり、コストの削減を図ることができる。
（２）開閉蓋４０を箱体１２に一体形成したことにより、箱体１２の組立時の簡略化を図ることができ、さらなるコストの削減を図ることができる。また、開閉蓋４０を箱体１２に一体としたことにより、打上花火１１の使用後にも開閉蓋４０が散らばることがなく、後かたづけも簡単に行うことができる。
（３）箱体１２に大きな展示窓２２を形成し、同展示窓２２から箱体１２内に外光が入り込むようにした。これにより、暗闇でも導火線１６の視認性が向上し、導火線１６の点火作業をスムーズに行うことができる。
また、連通窓４１側は使用者の体が外光を遮蔽するので展示窓２２がないと箱体１２内が見えないが、展示窓２２を連通窓４１と異なる方向、すなわち、連通窓４１と対向する方向に形成したことにより、箱体１２内に入り込む外光を点火する人により遮光することがない。これにより導火線１６を効率よく照らすことができ、さらに導火線１６への点火作業を効率よく行うことができる。
（４）箱体１２に展示窓２２を設けたことにより、花火１１の購入時に使用者が箱体１２内の紙管１３を視認できる。すなわち、箱体１２に展示窓２２を設けていない場合には、花火１１の購入時に使用者は箱体１２内にどんなものが入っているのかをイメージできない。これに対し、本実施の形態では展示窓２２から箱体１２内の紙管１３を見ることができるので、使用者は箱体１２と紙管１３との両方からどのような打上花火１１なのかをイメージすることができ、ひいては打上花火１１の購買意欲を向上させることができる。
（５）箱体１２に支持面２６，２７及び蓋面２３，２４を一体形成したことにより、別部材を使用することなく箱体１２内で紙管１３の動きを規制することができ、より一層コストの削減を図ることができる。
【００１２】
本発明を、以下のように具体化して実施してもよい。
・箱体１２に開放窓としての展示窓２２を設けずに具体化してもよい。
・箱体１２内で紙管１３を支持する支持部材（支持面２６，２７）を箱体１２と一体形成したが、支持部材を箱体１２と別部材として構成してもよい。
・開放窓としての展示窓２２を箱体１２の正面２１ａに形成したが、展示窓２２を右側面２１ｂまたは左側面２１ｃに形成してもよい。また、展示窓２２の形状や展示窓２２の形成数も適宜変更して具体化してもよい。
・箱体１２を直方体以外の円柱等の形状で構成してもよい。
・開閉部材としての開閉蓋４０を箱体１２に一体形成したが、開閉蓋４０と箱体１２とを別体として具体化してもよい。この場合、開閉蓋を粘着性のシール等で構成し、花火の出荷時には開閉蓋で連通窓４１を塞いでおき、導火線１６への点火時には開閉蓋を箱体１２から剥離することで、連通窓４１が開放して導火線１６への点火が可能となる。
その他、本発明はその趣旨を逸脱しない範囲において変更した態様で実施することは自由である。
【００１３】
本発明の目的を達成するために上記実施の形態から把握できるその他の技術的思想について下記に付記として説明する。
（１）前記開放窓は、前記連通窓が形成され前記開閉部材を備えた位置と異なる方向において形成されている請求項３に記載の打上花火。
上記付記（１）に記載の発明のように構成すれば、請求項３に記載の発明の効果に加え、連通窓側は使用者の体が外光を遮蔽するので開放窓がないと内部が見えないが、開放窓を連通窓と異なる方向、すなわち、連通窓と対向する方向に形成したことにより、箱体内に入り込む外光を点火する人により遮光することがない。これにより導火線を効率よく照らすことができ、さらに導火線への点火作業を効率よく行うことができる。
（２）前記箱体には紙管を固定支持する支持部材が一体形成されている請求項１〜請求項３のいずれかに記載の打上花火。
【００１４】
【図面の簡単な説明】
【図１】本発明の実施の形態の正面側から見た打上花火の斜視図。
【図２】同じ実施の形態の背面側から見た打上花火の斜視図。
【図３】同じ実施の形態の打上花火の側断面図（概念図）。
【図４】同じ実施の形態の打上花火の箱体の展開図。
【図５】同じ実施の形態の打上花火の使用態様を示した図であって、開閉部材を開ける様子を示した図。
【図６】同じ実施の形態の打上花火の使用態様を示した図であって、着火する際の様子を示した図。
【符号の説明】
１１…打上花火、１２…箱体、１３…紙管、１４…発射薬、１５…小星、１６…導火線、２２…開放窓としての展示窓、４０…開閉部材としての開閉蓋、４１…連通窓。
【図１】
2004324953.tif 000003
【図２】
2004324953.tif 000004
【図３】
2004324953.tif 000005
【図４】
2004324953.tif 000006
【図５】
2004324953.tif 000007
【図６】
2004324953.tif 000008